(57)【要約】   【課題】 タイムシーケンス制御モジュールとＤＣ／ＤＣコンバータモジュールとの間に設ける対応するコネクタ及びケーブルを設けることなく垂直同期信号と３Ｄ＿ＥＮ信号とを伝送し、コネクタとケーブルの数を減少させ、製造コストを低減させることのできる液晶表示装置の駆動装置、駆動方法、及びその液晶表示装置を提供する。  【解決手段】  液晶表示装置の駆動装置は、電圧信号と、３Ｄ＿ＥＮ信号を含む制御信号とを提供する信号発生モジュールと、該信号発生モジュールにカップリングして該３Ｄ＿ＥＮ信号を受信するタイムシーケンス制御モジュールと、該信号発生モジュールにカップリングし、該３Ｄ＿ＥＮ信号を受信した後に垂直同期信号を生成し、かつ該垂直同期信号をゲート電極駆動手段による液晶表示装置の画素アレイの駆動に供するＤＣ／ＤＣコンバータモジュールと、を含んでなる。【選択図】 図２
2016518623.tif 000002
【特許請求の範囲】
【請求項１】
電圧信号と、３Ｄ＿ＥＮ信号を含む制御信号とを提供する信号発生モジュールと、
該信号発生モジュールにカップリングして該３Ｄ＿ＥＮ信号を受信するタイムシーケンス制御モジュールと、
該信号発生モジュールにカップリングし、該３Ｄ＿ＥＮ信号を受信した後に垂直同期信号を生成し、かつ該垂直同期信号をゲート電極駆動手段による液晶表示装置の画素アレイの駆動に供するＤＣ／ＤＣコンバータモジュールと、を含んでなることを特徴とする液晶表示装置の駆動装置。
【請求項２】
前記ＤＣ／ＤＣコンバータモジュールが、該信号発生モジュールから３Ｄ＿ＥＮ信号を受信し、且つ識別する３Ｄ＿ＥＮ信号識別ユニットと、
該３Ｄ＿ＥＮ信号識別ユニットが識別した３Ｄ＿ＥＮ信号が高電圧レベルの場合、垂直同期信号を生成する垂直同期信号発生ユニットと、
該垂直同期信号発生ユニットが生成した垂直同期信号を転送する垂直同期信号転送ユニットと、を含んでなることを特徴とする請求項１に記載の液晶表示装置の駆動装置。
【請求項３】
前記液晶表示装置の駆動装置が、該ＤＣ／ＤＣコンバータモジュールにカップリングし、かつ該画素アレイに電気的に接続し、該ＤＣ／ＤＣコンバータモジュールが生成した垂直同期委信号を受信して該画素アレイを駆動するゲート電極駆動手段と、
該タイムシーケンス制御モジュールにカップリングし、かつ該画素アレイに電気的に接続し、該タイムシーケンス制御モジュールが生成した水平同期信号を受信して該画素アレイを駆動するソース電極駆動手段と、をさらに含むことを特徴とする請求項１に記載の液晶表示装置の駆動装置。
【請求項４】
前記信号発生モジュールが、ＳｏＣ（System-on-a-chip）チップであることを特徴とする請求項３に記載の液晶表示装置の駆動装置。
【請求項５】
前記液晶表示装置の駆動装置が、該ＤＣ／ＤＣコンバータモジュールにカップリングし、かつ該画素アレイに電気的に接続し、該ＤＣ／ＤＣコンバータモジュールが生成した垂直同期委信号を受信して該画素アレイを駆動するゲート電極駆動手段と、
該タイムシーケンス制御モジュールにカップリングし、かつ該画素アレイに電気的に接続し、該タイムシーケンス制御モジュールが生成した水平同期信号を受信して該画素アレイを駆動するソース電極駆動手段と、をさらに含むことを特徴とする請求項２に記載の液晶表示装置の駆動装置。
【請求項６】
画素アレイと、ソース電極駆動手段と、ゲート電極駆動手段と、タイムシーケンス制御モジュールと、ＤＣ／ＤＣコンバータモジュールと、信号発生モジュールと、バックライトモジュールと、を含んでなる液晶表示装置であって、
該信号発生モジュールが電圧信号と、３Ｄ＿ＥＮ信号を含む制御信号とを提供し、
該タイムシーケンス制御モジュールが該信号発生モジュールにカップリングして該３Ｄ＿ＥＮ信号を受信し、
該ゲート電極駆動手段が該ＤＣ／ＤＣコンバータモジュールにカップリングし、かつ該画素アレイに電気的に接続し、該ＤＣ／ＤＣコンバータモジュールが生成した垂直同期委信号を受信して該画素アレイを駆動し、
該ソース電極駆動手段が該信号発生モジュールにカップリングし、タイムシーケンス制御モジュールが生成した制御信号を受信して該画素アレイを駆動することを特徴とする液晶表示装置。
【請求項７】
前記ＤＣ／ＤＣコンバータモジュールが、該信号発生モジュールから３Ｄ＿ＥＮ信号を受信し、且つ識別する３Ｄ＿ＥＮ信号識別ユニットと、
該３Ｄ＿ＥＮ信号識別ユニットが識別した３Ｄ＿ＥＮ信号が高電圧レベルの場合、垂直同期信号を生成する垂直同期信号発生ユニットと、
該垂直同期信号発生ユニットが生成した垂直同期信号を転送する垂直同期信号転送ユニットと、を含んでなることを特徴とする請求項６に記載の液晶表示装置。
【請求項８】
前記信号発生モジュールが、ＳｏＣ（System-on-a-chip）チップであることを特徴とする請求項６に記載の液晶表示装置置。
【請求項９】
前記信号発生モジュールが、ＳｏＣ（System-on-a-chip）チップであることを特徴とする請求項７に記載の液晶表示装置置。
【請求項１０】
信号発生モジュールによって電圧と、３Ｄ＿ＥＮ信号を含む制御信号を提供するステップと、
該信号発生モジュールとカップリングするタイムシーケンス制御モジュールによって、該信号発生モジュールの生成した３Ｄ＿ＥＮ信号を受信するステップと、
該信号発生モジュールとカップリングするＤＣ／ＤＣコンバータモジュールによって、該信号発生モジュールの生成した３Ｄ＿ＥＮ信号を受信した後垂直同期信号を生成し、該垂直同期信号をゲート電極駆動手段に提供して画素アレイを駆動するステップと、を含むことを特徴とする液晶表示装置の駆動方法。
【請求項１１】
前記液晶表示装置の駆動方法が、該ＤＣ／ＤＣコンバータモジュールにおいて該信号発生モジュールの生成した３Ｄ＿ＥＮ信号を受信し、かつ識別し、識別した該３Ｄ＿ＥＮ信号が高電圧レベルの場合に垂直同期信号を生成し、該垂直同期信号発生ユニットの生成した該垂直同期信号をゲート電極駆動手段に転送するステップをさらに含むことを特徴とする請求項１０に記載の液晶表示装置の駆動方法。
【請求項１２】
該ゲート電極駆動手段が該ＤＣ／ＤＣコンバータモジュールの生成した垂直同期信号と、ソース電極駆動手段が受信したタイムシーケンス制御モジュールが生成した水平同期信号と、を受信して、該ゲート電極駆動手段と該ソース電極駆動手段とに電気的に接続する画素アレイを駆動するステップをさらに含むことを特徴とする請求項１１に記載の液晶表示装置の駆動方法。
【発明の詳細な説明】
【技術分野】
【０００１】
この発明は薄膜トランジスタ液晶表示装置に関し、特に液晶表示装置の駆動装置、駆動方法、及びその液晶表示装置に関する。
【背景技術】
【０００２】
薄膜トランジスタ液晶表示装置（以下TFT液晶表示装置と称する）は、その応用がますます広範囲に及んでいる。図１に、従来の液晶表示装置の構造を開示する。図面に開示するように、従来の液晶表示装置は、画素アレイ１０と、ソース電極駆動手段１１と、ゲート電極駆動手段１２と、タイムシーケンス制御モジュール１４と、ＤＣ／ＤＣコンバータモジュール１６と、信号発生モジュール１５と、バックライトモジュール１３とを含んでなる。
【０００３】
前記システム端に位置する信号発生モジュール１５は、３Ｄ＿ＥＮ信号を発生させ、タイムシーケンス制御モジュール１４に出力し、タイムシーケンス制御モジュール１４によってＤＣ／ＤＣコンバータモジュール１６に転送する。別途、タイムシーケンス制御モジュール１４は、垂直同期信号（ＶＳＹＮＣ）をＤＣ／ＤＣコンバータモジュール１６に提供する必要がある。係る必要を満たすためにはタイムシーケンス制御モジュール１４とＤＣ／ＤＣコンバータモジュール１６との間に対応するコネクタ及びデジタルケーブルを設けなければならない。よって、設計が複雑になり、かつ製造コストが高くなる。
【発明の概要】
【発明が解決しようとする課題】
【０００４】
この発明は、タイムシーケンス制御モジュールとＤＣ／ＤＣコンバータモジュールとの間に設ける対応するコネクタ及びケーブルを設けることなく垂直同期信号と３Ｄ＿ＥＮ信号とを伝送し、コネクタとケーブルの数を減少させ、製造コストを低減させることのできる液晶表示装置の駆動装置、駆動方法、及びその液晶表示装置を提供することを課題とする。
【課題を解決するための手段】
【０００５】
そこで、本発明者は従来の技術に見られる欠点に鑑み鋭意研究を重ねた結果、電圧信号と、３Ｄ＿ＥＮ信号を含む制御信号とを提供する信号発生モジュールと、
該信号発生モジュールにカップリングして該３Ｄ＿ＥＮ信号を受信するタイムシーケンス制御モジュールと、
該信号発生モジュールにカップリングし、該３Ｄ＿ＥＮ信号を受信した後に垂直同期信号を生成し、かつ該垂直同期信号をゲート電極駆動手段による液晶表示装置の画素アレイの駆動に供するＤＣ／ＤＣコンバータモジュールと、を含んでなる液晶表示装置の駆動装置と、係る駆動装置を含む液晶表示装置と、その駆動方法によって課題を解決できる点に着眼し、係る知見に基づいて本発明を完成させた。
【０００６】
以下この発明について説明する。請求項１に記載する液晶表示装置の駆動装置は、電圧信号と、３Ｄ＿ＥＮ信号を含む制御信号とを提供する信号発生モジュールと、
該信号発生モジュールにカップリングして該３Ｄ＿ＥＮ信号を受信するタイムシーケンス制御モジュールと、
該信号発生モジュールにカップリングし、該３Ｄ＿ＥＮ信号を受信した後に垂直同期信号を生成し、かつ該垂直同期信号をゲート電極駆動手段による液晶表示装置の画素アレイの駆動に供するＤＣ／ＤＣコンバータモジュールと、を含んでなる。
【０００７】
請求項２に記載する液晶表示装置の駆動装置は、請求項１におけるＤＣ／ＤＣコンバータモジュールが、該信号発生モジュールから３Ｄ＿ＥＮ信号を受信し、且つ識別する３Ｄ＿ＥＮ信号識別ユニットと、
該３Ｄ＿ＥＮ信号識別ユニットが識別した３Ｄ＿ＥＮ信号が高電圧レベルの場合、垂直同期信号を生成する垂直同期信号発生ユニットと、
該垂直同期信号発生ユニットが生成した垂直同期信号を転送する垂直同期信号転送ユニットと、を含んでなる。
【０００８】
請求項３に記載する晶表示装置の駆動装置は、請求項１における液晶表示装置の駆動装置が、該ＤＣ／ＤＣコンバータモジュールにカップリングし、かつ該画素アレイに電気的に接続し、該ＤＣ／ＤＣコンバータモジュールが生成した垂直同期委信号を受信して該画素アレイを駆動するゲート電極駆動手段と、
該タイムシーケンス制御モジュールにカップリングし、かつ該画素アレイに電気的に接続し、該タイムシーケンス制御モジュールが生成した水平同期信号を受信して該画素アレイを駆動するソース電極駆動手段と、をさらに含む。
【０００９】
請求項４に記載する液晶表示装置の駆動装置は、請求項３における信号発生モジュールが、ＳｏＣ（System-on-a-chip）チップである。
【００１０】
請求項５に記載する液晶表示装置の駆動装置は、請求項２における液晶表示装置の駆動装置が、該ＤＣ／ＤＣコンバータモジュールにカップリングし、かつ該画素アレイに電気的に接続し、該ＤＣ／ＤＣコンバータモジュールが生成した垂直同期委信号を受信して該画素アレイを駆動するゲート電極駆動手段と、
該タイムシーケンス制御モジュールにカップリングし、かつ該画素アレイに電気的に接続し、該タイムシーケンス制御モジュールが生成した水平同期信号を受信して該画素アレイを駆動するソース電極駆動手段と、をさらに含む。
【００１１】
請求項６に記載する液晶表示装置は、画素アレイと、ソース電極駆動手段と、ゲート電極駆動手段と、タイムシーケンス制御モジュールと、ＤＣ／ＤＣコンバータモジュールと、信号発生モジュールと、バックライトモジュールと、を含んでなる液晶表示装置であって、
該信号発生モジュールが電圧信号と、３Ｄ＿ＥＮ信号を含む制御信号とを提供し、
該タイムシーケンス制御モジュールが該信号発生モジュールにカップリングして該３Ｄ＿ＥＮ信号を受信し、
該ゲート電極駆動手段が該ＤＣ／ＤＣコンバータモジュールにカップリングし、かつ該画素アレイに電気的に接続し、該ＤＣ／ＤＣコンバータモジュールが生成した垂直同期委信号を受信して該画素アレイを駆動し、
該ソース電極駆動手段が該信号発生モジュールにカップリングし、タイムシーケンス制御モジュールが生成した制御信号を受信して該画素アレイを駆動する置。
【００１２】
請求項７に記載する液晶表示装置は、請求項６におけるＤＣ／ＤＣコンバータモジュールが、該信号発生モジュールから３Ｄ＿ＥＮ信号を受信し、且つ識別する３Ｄ＿ＥＮ信号識別ユニットと、
該３Ｄ＿ＥＮ信号識別ユニットが識別した３Ｄ＿ＥＮ信号が高電圧レベルの場合、垂直同期信号を生成する垂直同期信号発生ユニットと、
該垂直同期信号発生ユニットが生成した垂直同期信号を転送する垂直同期信号転送ユニットと、を含んでなる。
【００１３】
請求項８に記載する液晶表示装置は、請求項６における信号発生モジュールが、ＳｏＣ（System-on-a-chip）チップである。
【００１４】
請求項９に記載する液晶表示装置は、請求項７における信号発生モジュールが、ＳｏＣ（System-on-a-chip）チップである。
【００１５】
請求項１０に記載する液晶表示装置の駆動方法は、信号発生モジュールによって電圧と、３Ｄ＿ＥＮ信号を含む制御信号を提供するステップと、
該信号発生モジュールとカップリングするタイムシーケンス制御モジュールによって、該信号発生モジュールの生成した３Ｄ＿ＥＮ信号を受信するステップと、
該信号発生モジュールとカップリングするＤＣ／ＤＣコンバータモジュールによって、該信号発生モジュールの生成した３Ｄ＿ＥＮ信号を受信した後垂直同期信号を生成し、該垂直同期信号をゲート電極駆動手段に提供して画素アレイを駆動するステップと、を含む。
【００１６】
請求項１１に記載する液晶表示装置の駆動方法は、請求項１０における前記液晶表示装置の駆動方法が、該ＤＣ／ＤＣコンバータモジュールにおいて該信号発生モジュールの生成した３Ｄ＿ＥＮ信号を受信し、かつ識別し、識別した該３Ｄ＿ＥＮ信号が高電圧レベルの場合に垂直同期信号を生成し、該垂直同期信号発生ユニットの生成した該垂直同期信号をゲート電極駆動手段に転送するステップをさらに含む。
【００１７】
請求項１２に記載する液晶表示装置の駆動方法は、請求項１１におけるゲート電極駆動手段が該ＤＣ／ＤＣコンバータモジュールの生成した垂直同期信号と、ソース電極駆動手段が受信したタイムシーケンス制御モジュールが生成した水平同期信号と、を受信して、該ゲート電極駆動手段と該ソース電極駆動手段とに電気的に接続する画素アレイを駆動するステップをさらに含む。
【図面の簡単な説明】
【００１８】
【図１】従来の液晶表示装置の構造を示した説明図である。
【図２】この発明による液晶表示装置の構造を示した説明図である。
【図３】図２におけるＤＣ／ＤＣコンバータモジュールの構造を示した説明図である。
【発明を実施するための形態】
【００１９】
この発明は、タイムシーケンス制御モジュールとＤＣ／ＤＣコンバータモジュールとの間に設ける対応するコネクタ及びケーブルを設けることなく垂直同期信号と３Ｄ＿ＥＮ信号とを伝送し、コネクタとケーブルの数を減少させ、製造コストを低減させることのできる液晶表示装置の駆動装置、駆動方法、及びその液晶表示装置を提供するものであって、
係る液晶表示装置の駆動装置、駆動方法、及びその液晶表示装置の特徴を説明するために、具体的な実施例を挙げ、図面を参照にして以下に詳述する。
【実施例】
【００２０】
図２に、この発明による液晶表示装置の駆動装置の構造を開示する。図面に開示するように、液晶表示装置は、画素アレイ１０と、ソース電極駆動手段１１と、ゲート電極駆動手段１２と、タイムシーケンス制御モジュール２４と、ＤＣ／ＤＣコンバータモジュール２６と、信号発生モジュール１５と、バックライトモジュール１３とを含んでなる。
【００２１】
バックライトモジュール１３は、バックライトの光源となるものであって、即ち、バックライトモジュール１３の提供する光によって画素アレイ１０が表示するコンテンツを視認することができる。
【００２２】
信号発生モジュール１５は、電圧（例えば２４Ｖの直流電圧）と制御信号を提供するものであって、該制御信号とは３Ｄ＿ＥＮ信号を指す。具体的に言えば、信号発生モジュール１５は、システム端に設けるＳｏＣ（System-on-a-chip）チップであってもよい。
【００２３】
タイムシーケンス制御モジュール２４は、信号発生モジュール１５とカップリングし、該３Ｄ＿ＥＮ信号の後に生成される垂直同期信号を受信する。該垂直同期信号はゲート電極駆動手段１４に供給されて液晶表示装置の画素アレイ１０を駆動する。
【００２４】
ソース電極駆動手段１１とゲート電極駆動手段１２とは、画素アレイ１０を構成する画素ユニット（図示しない）に電気的に接続し、ゲート電極駆動手段１２が複数の該画素ユニットを起動する場合、ソース電極駆動手段１２によって表示するデータを該画素ユニットに出力して表示に供する。
【００２５】
具体的に述べれば、ゲート電極駆動手段１２とＤＣ／ＤＣコンバータモジュール２６とはカップリングし、ＤＣ／ＤＣコンバータモジュール２６の生成した垂直同期信号を受信して電気的に接続する画素アレイ１０を駆動する。
【００２６】
ソース電極駆動手段１２は、タイムシーケンス制御モジュール２４にカップリングし、タイムシーケンス制御モジュール２４の生成する水平同期信号（ＨＳＹＮＣ信号）を受信して電気的に接続する画素アレイ１０を駆動する。
【００２７】
図３に、図２におけるＤＣ／ＤＣコンバータモジュール２６の構造を開示する。図面に開示するように、ＤＣ／ＤＣコンバータモジュール２６は、信号発生モジュール１５から３Ｄ＿ＥＮ信号を受信し、且つ識別する３Ｄ＿ＥＮ信号識別ユニット２６０と、３Ｄ＿ＥＮ信号識別ユニット２６０が識別した３Ｄ＿ＥＮ信号が高電圧レベルの場合、垂直同期信号を生成する垂直同期信号発生ユニット２６２と、垂直同期信号発生ユニット２６２が生成した垂直同期信号をゲート電極駆動手段１２に転送する垂直同期信号転送ユニット２６４とを含んでなる。
【００２８】
具体的に述べれば、実施例において上述するそれぞれのユニットは、ＤＣ／ＤＣコンバータモジュール２６におけるマイクロコントローラユニット（ＭＣＵ）において実施することができる。
【００２９】
また、この発明は、液晶表示装置の駆動方法をも提供する。該方法は、次に掲げるステップを含んでなる。即ち、第１のステップにおいて、信号発生モジュールによって電圧と、３Ｄ＿ＥＮ信号を含む制御信号を提供する。
【００３０】
第２のステップにおいて、該信号発生モジュールとカップリングするタイムシーケンス制御モジュールによって、該信号発生モジュールの生成した３Ｄ＿ＥＮ信号を受信する。
【００３１】
第３のステップにおいて、該信号発生モジュールとカップリングするＤＣ／ＤＣコンバータモジュールによって、該信号発生モジュールの生成した３Ｄ＿ＥＮ信号を受信した後垂直同期信号を生成し、該垂直同期信号をゲート電極駆動手段に提供して画素アレイを駆動する。
【００３２】
また、前記方法は、さらに該ＤＣ／ＤＣコンバータモジュールにおいて該信号発生モジュールの生成した３Ｄ＿ＥＮ信号を受信し、かつ識別し、識別した該３Ｄ＿ＥＮ信号が高電圧レベルの場合は垂直同期信号を生成し、垂直同期信号発生ユニットの生成した垂直同期信号をゲート電極駆動手段に転送するステップを含む。
【００３３】
該ゲート電極駆動手段は、該ＤＣ／ＤＣコンバータモジュールが生成した垂直同期信号と、ソース電極駆動手段が受信したタイムシーケンス制御モジュールが生成した水平同期信号（ＨＳＹＮＣ信号）と、を受信して、該ゲート電極駆動手段と該ソース電極駆動手段とに電気的に接続する画素アレイを駆動する。
【００３４】
この発明において、垂直同期信号はＤＣ／ＤＣコンバータモジュールによって生成し、３Ｄ＿ＥＮ信号はシステム端に設けた信号発生モジュールによって提供する。よって、タイムシーケンス制御モジュールとＤＣ／ＤＣコンバータモジュールとの間に対応するコネクタとケーブルを設けて垂直同期信号と３Ｄ＿ＥＮ信号とを転送する必要がない。したがって、コネクタとケーブルの数を減少させ、回路を簡略化し、製造コストを節減することができる。
【００３５】
以上は、この発明の好ましい実施の形態を説明したものであって、この発明の実施の範囲を限定するものではない。よって、当業者のなしえる変更、もしくは修正であって、この発明の精神の下においてなされ、この発明に対して均等の効果を有するものは、いずれもこの発明の特許請求の範囲に含まれるものとする。
【符号の説明】
【００３６】
１０    画素アレイ
１１    ソース電極駆動手段
１２    ゲート電極駆動手段
１３    バックライトモジュール
１４    タイムシーケンス制御モジュール
１５    信号発生モジュール
１６    ＤＣ／ＤＣコンバータモジュール
２４    タイムシーケンス制御モジュール
２６    ＤＣ／ＤＣコンバータモジュール
２６０    ３Ｄ＿ＥＮ信号識別ユニット
２６２    垂直同期信号発生ユニット
２６４    垂直同期信号転送ユニット
【図１】
2016518623.tif 000003
【図２】
2016518623.tif 000004
【図３】
2016518623.tif 000005
【国際調査報告】
2016518623.tif 000006
2016518623.tif 000007
2016518623.tif 000008
2016518623.tif 000009